(57)【要約】【課題】表面処理装置等の搬送コンベアにおいて、ワーク固定用吸引ベルトがコンベアベルトから脱落するのを防止する。【解決手段】表面処理装置１０の搬送コンベア２０は、ワークＷを搬送方向へ送るコンベアベルト３０に多数の透孔３２が形成されており、その表面に面ファスナー８０Ａ，８０Ｂにより着脱可能なワーク固定用吸引ベルト５０，６０，７０を設ける。吸引ベルトの継ぎ目部分を覆うように押さえ板１００を配置し、ネジ１０２等によって前記面ファスナー及びコンベアベルト３０を貫通し、かつ、前記面ファスナー８０Ａ，８０Ｂと前記押さえ板１００によって、前記継ぎ目部分を挟むように固定する。前記押さえ板１００があるため、回転ブラシ９０Ａ，９０Ｂの研磨布９４が面ファスナー８０Ａ，８０Ｂに直接あたらず、継ぎ目のめくれ等に起因して面ファスナーごとワーク固定用吸引ベルトが外れるのを防ぐ。【選択図】図１
2017226049.tif 000002
【特許請求の範囲】
【請求項１】
多数の透孔が形成されており、処理対象を搬送方向へ送るコンベアベルトと、
該コンベアベルトの表面上に着脱可能に取り付けられて、前記処理対象の形状及び寸法に応じた多数の吸引孔が形成されており、該吸引孔を介して前記処理対象を吸着保持するワーク固定用吸引ベルトと、
該ワーク固定用吸引ベルトの縁部同士の継ぎ目部分であって、該ワーク固定用吸引ベルトと前記コンベアベルトを固定する面ファスナーと、
前記継ぎ目部分であって、前記コンベアベルトと接しない側の前記ワーク固定用吸引ベルトの面側に配置されており、前記継ぎ目部分を覆うシート状ないし板状の押さえ手段と、
該押さえ手段を、該押さえ手段と前記面ファスナーの間に前記ワーク固定用吸引ベルトの継ぎ目を挟んだ状態で固定する固定手段と、
前記吸引孔を介して前記処理対象を吸引し、前記ワーク固定用吸引ベルトに固定する吸引手段と、
を備えたことを特徴とする表面処理装置用の搬送コンベア。
【請求項２】
前記固定手段が、前記押さえ手段，前記面ファスナー及び前記コンベアベルトを一体に固定するネジ手段であることを特徴とする請求項１記載の表面処理装置用の搬送コンベア。
【請求項３】
前記固定手段が、前記押さえ手段と前記ワーク固定用吸引ベルト間に設けられた接着剤であることを特徴とする請求項１記載の表面処理装置用の搬送コンベア。
【請求項４】
請求項１〜３のいずれか一項に記載の搬送コンベアと、
該搬送コンベアのコンベアベルト上の前記ワーク固定用吸引ベルトに保持された前記処理対象の表面に接触して、所望の表面処理を施す一つ以上の回転ブラシと、
該回転ブラシの駆動機構と、
を備えたことを特徴とする表面処理装置。
【発明の詳細な説明】
【技術分野】
【０００１】
本発明は、バリ取り機等の表面処理装置に用いられる搬送コンベアと、それを利用した表面処理装置に関するものである。
【背景技術】
【０００２】
現在、バリ取り機等のワーク固定方式には、吸引固定方式，ロール固定方式及び電磁マグネット固定方式等があるが、前記吸引固定方式が主流となっている（例えば、下記特許文献１記載のバリ取り装置参照）。そして、前記吸引固定方式において、吸引固定をより確実にするために、コンベアベルト上に、ワークの形状等に応じた吸引孔を設けたベルトないしシートを設けて、吸引力を高める工夫もされている。例えば、図３(A)に示す表面処理装置２００は、ワークＷを搬送する搬送コンベア２１０と、ワークＷの表面に接触してバリ取り等の表面処理を施す２本の回転ブラシ２５０Ａ，２５０Ｂを備えた構成となっている。これら回転ブラシ２５０Ａ，２５０Ｂは、例えば、回転するローラ２５２の表面に多数の短冊状の研磨布２５４（ブラシ体）が設けられた構造となっている。
【０００３】
前記搬送コンベア２１０の内部には吸引室２４０が設けられており、該吸引室２４０内は、吸引ダクト２４２，送風機２４４，排気ダクト２４６から構成される減圧手段で減圧される。搬送コンベア２１０のコンベアベルト２１２は多孔性ないしメッシュ状であり、多数の透孔２１４を有している。前記コンベアベルト２１２上には、吸引孔２２１，２２３等が設けられたワーク固定用吸引ベルト２２０，２２２，２２４が設けられており、これらの吸引ベルトの継ぎ目，例えば、縁部２２０Ａと縁部２２２Ｂの突き合わせ部分は、面ファスナー２３０Ａ，２３０Ｂにより固定されている。前記吸引ベルト２２０，２２２，２２４は、前記吸引孔２２１，２２３以外の部分には孔が形成されていないため、例えば、前記コンベアベルト２１２上に直接ワークＷを載置した場合と比べて、格段に吸引力が増し、ワークＷを確実に保持して回転ブラシ２５０Ａ，２５０Ｂに送ることができる。
【先行技術文献】
【特許文献】
【０００４】
【特許文献１】特開２０１３−１０７１３９号公報
【発明の概要】
【発明が解決しようとする課題】
【０００５】
しかしながら、上述した図３(A)に示す表面処理装置２００では、前記ワーク固定用吸引ベルト２２０〜２２４を面ファスナー２３０Ａ，２３０Ａで固定するが、使用しているうちに、図３(B)に示すように、ワーク固定用吸引ベルト２２０〜２２４の縁部２２０Ａ，２２２Ｂや、縁部２２２Ａ，２２４Ｂの突き合わせ部分（継ぎ目部分）に隙間２２６が空いてしまったり、図３(C)に示すように、前記面ファスナー２３０Ａ，２３０Ｂで固定した部分がめくれあがったりしてくる。このような状態が発生すると、前記回転ブラシ２５０Ａ，２５０Ｂの研磨布２５４が回転し、その力で、前記面ファスナー２３０Ｂを剥がし、その結果、前記ワーク固定用吸引ベルト２２０〜２２４自体が回転ブラシ２５０Ａ，２５０Ｂの回転力で飛ばされてしまう。これを解決するためには、ワーク固定用吸引ベルトを強く固定する必要があるが、該ワーク固定用吸引ベルトは、ワークＷ毎に交換する必要があるため、該ワーク固定用吸引ベルトを固定する面ファスナーは、引っ張り力には強く、めくれ方向には弱くしておく必要がある。
【０００６】
本発明は、以上のような点に着目したもので、バリ取り機などの表面処理装置に利用される搬送コンベアにおいて、コンベアベルトに取り付けられるワーク固定用吸引ベルトの脱落を装置することを、その目的とする。他の目的は、前記搬送コンベアを用いた処理効率が高い表面処理装置を提供することである。
【課題を解決するための手段】
【０００７】
本発明の表面処理装置用の搬送コンベアは、多数の透孔が形成されており、処理対象を搬送方向へ送るコンベアベルトと、該コンベアベルトの表面上に着脱可能に取り付けられて、前記処理対象の形状及び寸法に応じた多数の吸引孔が形成されており、該吸引孔を介して前記処理対象を吸着保持するワーク固定用吸引ベルトと、該ワーク固定用吸引ベルトの縁部同士の継ぎ目部分であって、該ワーク固定用吸引ベルトと前記コンベアベルトを固定する面ファスナーと、前記継ぎ目部分であって、前記コンベアベルトと接しない側の前記ワーク固定用吸引ベルトの面側に配置されており、前記継ぎ目部分を覆うシート状ないし板状の押さえ手段と、該押さえ手段を、該押さえ手段と前記面ファスナーの間に前記ワーク固定用吸引ベルトの継ぎ目を挟んだ状態で固定する固定手段と、前記吸引孔を介して前記処理対象を吸引し、前記ワーク固定用吸引ベルトに固定する吸引手段と、を備えたことを特徴とする。
【０００８】
主要な形態の一つは、前記固定手段が、前記押さえ手段，前記面ファスナー及び前記コンベアベルトを一体に固定するネジ手段であることを特徴とする。他の主要な形態の一つは、前記固定手段が、前記押さえ手段と前記ワーク固定用吸引ベルト間に設けられた接着剤であることを特徴とする。
【０００９】
本発明の表面処理装置は、前記いずれかに記載の搬送コンベアと、該搬送コンベアのコンベアベルト上の前記ワーク固定用吸引ベルトに保持された前記処理対象の表面に接触して、所望の表面処理を施す一つ以上の回転ブラシと、該回転ブラシの駆動機構と、を備えたことを特徴とする。本発明の前記及び他の目的，特徴，利点は、以下の詳細な説明及び添付図面から明瞭になろう。
【発明の効果】
【００１０】
本発明によれば、処理対象を搬送方向へ送るコンベアベルトに多数の透孔が形成され、該コンベアベルトの表面上に面ファスナーにより着脱可能に設けたワーク固定用吸引ベルトには、前記処理対象の形状及び寸法に対応した多数の吸引孔が形成される。そして、前記ワーク固定用吸引ベルトの縁部の継ぎ目部分を覆う押さえ手段を設けて、前記コンベアベルトに固定することとした。このため、ワーク固定用吸引ベルトの継ぎ目部分から面ファスナーが露出しないため、回転ブラシが面ファスナーに当たり、継ぎ目部分をめくって面ファスナーを剥がし、吸引ベルト自体が外れることを防止できる。また、これにより、処理効率の向上を図ることができる。
【図面の簡単な説明】
【００１１】
【図１】本発明の実施例１の表面処理装置の主要部の外観斜視図である。
【図２】前記実施例１を示す図であり、(A)は表面処理装置の全体構成を示す図，(B)は前記(A)の一部を拡大して示す図，(C)は変形例を示す図である。
【図３】背景技術の一例を示す図である。
【発明を実施するための形態】
【００１２】
以下、本発明を実施するための最良の形態を、実施例に基づいて詳細に説明する。
【実施例１】
【００１３】
最初に、図１及び図２を参照しながら本発明の実施例１を説明する。図１は、本実施例の表面処理装置の主要部の外観斜視図である。図２(A)は前記表面処理装置の全体構成を示す図，図２(B)は前記(A)の一部を拡大して示す図，図２(C)は変形例を示す図である。なお、図２(A)は、図１を＃Ａ−＃Ａ線に沿って切断し矢印方向に見た断面に相当する。本発明の表面処理装置１０は、各種金属製品及び成形品の縁のバリ取りや、ステンレス板などの研磨処理やヘアライン加工などを行うための装置であって、処理対象としては、平面状のみならず、若干の凹凸を有するものも含まれる。
【００１４】
図１及び図２(A)に示すように、本実施例の表面処理装置１０は、横型であって、図示しない本体部に、ワークＷを搬送する搬送コンベア２０と、ワークＷの表面に接触して所望の表面処理（バリ取り等）を行う２本の回転ブラシ９０Ａ，９０Ｂを備えた構成となっている。前記回転ブラシ９０Ａ，９０Ｂは、前記図示しない本体部に、回転可能に支持される。前記回転ブラシ９０Ａ，９０Ｂとしては、どのような構成のものであってもよいが、本実施例では、回転するローラ９２の表面に多数の帯状の研磨布（研磨体）９４が設けられた構造のものを用いている。
【００１５】
前記搬送コンベア２０は、ワークＷを図２(A)に矢印で示す方向に搬送し、前記回転ブラシ９０Ａ，９０Ｂを通過させるものであって、コンベア用モータ２６により駆動される。その駆動機構は、例えば、チェーン式やドラム式など公知の機構が利用可能である。本実施例では、前記搬送コンベア２０は、一対のドラム２２，２４に、多数の透孔３２が形成されたコンベアベルト３０を装架し、前記一対のドラム２２，２４のいずれかを前記コンベア用モータ２６により駆動している。なお、本実施例では、図示のように、前記コンベアベルト３０として多孔性のものを用いているが、メッシュ式のコンベアベルト（図示せず）であってもよい。この場合、メッシュの隙間が透孔となる。
【００１６】
また、前記搬送コンベア２０の内部には、吸引室４０が設けられている。該吸引室４０は、例えば、該吸引室４０に接続された吸引ダクト４２を介して、図２(A)に示す送風機４４によって、前記吸引室４０内の空気を排出ダクト４６から排出することで、前記吸引室４０内を減圧する。なお、前記送風機４４は、図示しない本体部の内側に設けてもよし、外側に設置してもよい。また、前記送風機４４に代えて、公知の真空発生装置や集塵機等を用いてもよい。
【００１７】
前記コンベアベルト３０の表面上には、複数のワーク固定用吸引ベルト（以下「吸引ベルト」とする）５０，６０，７０が、面ファスナー８０Ａ，８０Ｂによって、縁部同士を突き合わせるように取り付けられている。本実施例では、図２(B)に示すように、コンベアベルト３０側の面ファスナー８０Ａをオス、吸引ベルト５０，６０，７０側の面ファスナー８０Ｂをメスとしているが、逆であってもよい。前記ワーク固定用吸引ベルト５０，６０，７０には、それぞれ吸引孔５２，６２，７２が設けられている。これら吸引孔５２，６２，７２の形状，寸法，配置は、前記ワークＷの形状や寸法に応じて適宜設定してよい。また、前記吸引ベルト５０，６０，７０の吸引孔５２，６２，７２の形状，寸法，配置は、全て同一としてもよいし、吸引ベルト毎に異なるようにしてもよい。
【００１８】
前記吸引ベルト５０，６０，７０は、前記吸引孔５２，６２，７２以外の部分は孔が形成されていないため、例えば、前記コンベアベルト３０上に直接ワークＷを載置した場合と比べて、格段に吸引力が増し、ワークＷを確実に保持して回転ブラシ９０Ａ，９０Ｂへ送ることができる。
【００１９】
ところで、前記吸引ベルト５０，６０，７０は、その縁部同士（例えば、図２(B)に示すように、吸引ベルト５０の縁部５０Ａと、吸引ベルト６０の縁部６０Ｂ）を突き合わせ、面ファスナー８０Ａ，８０Ｂにより固定されているが、使用しているうちに、継ぎ目部分に隙間が空いてしまったり、面ファスナー８０Ａ，８０Ｂで固定した部分がめくれあがったりしてくる。そのような状態となると、前記回転ブラシ９０Ａ，９０Ｂの研磨布９４が回転するときの力で、前記面ファスナー８０Ｂを剥がしてしまい、その結果、吸引ベルト５０，６０，７０自体が回転力で飛ばされてしまう。
【００２０】
そこで、本発明では、図１に示すように、前記各吸引ベルト５０，６０，７０の継ぎ目部分を所定の幅を有する押さえ板１００で覆い、ネジ１０２等によって、前記コンベアベルト３０，面ファスナー８０Ａを貫通するように固定している。すなわち、ワーク固定用吸引ベルト５０，６０，７０は、ワークＷ毎に交換する必要があるため、交換しやすいように、引っ張り力には強く、しかし、めくれ方向には弱くする必要がある。このため、吸引ベルトとコンベアベルトを強固に固定することは、作業効率上好ましくない。そこで、本発明のように、前記面ファスナー８０Ａ，８０Ｂでの固定に加え、該面ファスナー８０Ａ，８０Ｂとの間に継ぎ目部分を挟むように、前記押さえ板１００を配置し、これをネジ１０２等で固定することにより、前記研磨布９４が当たらないため、継ぎ目部分がめくれにくくなる。そして、交換の際には、ネジ１０２を外すことで、従来通り容易に交換も可能である。前記押さえ板１００は、例えば、幅が３０ｍｍ，厚さが１ｍｍ程度のものを用いる。
【００２１】
このように、実施例１によれば、表面処理装置１０の搬送コンベア２０において、ワークＷを搬送方向へ送るコンベアベルト３０に多数の透孔３２が形成されており、該コンベアベルト３０の表面に、面ファスナー８０Ａ，８０Ｂにより着脱可能なワーク固定用吸引ベルト５０，６０，７０を設ける。そして、前記吸引ベルト５０，６０，７０の継ぎ目部分を覆うように、押さえ板１００を配置し、ネジ１０２によって前記コンベアベルト３０及び面ファスナー８０Ａを貫通し、かつ、前記面ファスナー８０Ａ，８０Ｂと前記押さえ板１００によって、前記継ぎ目部分を挟むように固定することとした。このため、回転ブラシ９０Ａ，９０Ｂの研磨布９４が、吸引ベルトの継ぎ目部分や面ファスナー８０Ａ，８０Ｂに当たるのを防止して、継ぎ目部分のめくれを防止するなど、吸引ベルトには影響を与えないようにできる。その結果、吸引ベルト５０，６０，７０自体が、面ファスナー８０Ａ，８０Ｂとともに回転ブラシ９０Ａ，９０Ｂの回転力で飛ばされてしまうことも防止できる。
【００２２】
なお、本発明は、上述した実施例に限定されるものではなく、本発明の要旨を逸脱しない範囲内において種々変更を加え得ることができる。例えば、以下のものも含まれる。
(1)前記実施例で示した搬送コンベア２０や表面処理装置１０の装置構成も一例であり、同様の効果を奏する範囲内で適宜変更可能である。例えば、前記実施例１では、表面処理装置１０は、２本の回転ブラシ９０Ａ，９０Ｂを備えることとしたが、これも一例であり、１本であってもよいし、３本以上であってもよい。また、ブラシの配置や角度も必要に応じて適宜変更可能である。
(2)前記ワーク固定用吸引ベルト５０，６０，７０も一例であり、各ベルトに形成する吸引孔の形状，寸法，配置，数は、ワークＷに応じて適宜変更してよい。また、前記実施例では、３つの吸引ベルトを示したが、コンベアベルト３０とほぼ同じ長さの一枚の長いベルトを巻き、その縁部の突き合わせ部分を押さえ板１００で覆って固定するようにしてもよい。また、一枚の吸引ベルト中で、吸引孔の形状，寸法，配置が異なる複数の領域を設けるようにしてもよい。
【００２３】
(3)前記実施例で示した押さえ板１００の固定方法も一例であり、上述したネジ１０２以外にも、図２(C)に示すように、接着剤１０４で固定するようにしてもよいし、他の公知の各種の固定手段を用いることを妨げるものではない。
(4)前記実施例で示したコンベアベルト３０も一例であり、ワーク固定用吸引ベルトを介した吸着が可能となるように多数の透孔が形成された構造であれば、前記実施例で示した形態に限定されない。
(5)前記実施例では、表面処理装置１０で行う処理としてバリ取りを例に挙げたが、これも一例であり、成形品の研磨や、レーザー加工品の表裏のドロス除去及びカット面のＲ付けなど各種表面処理を行うもの全般に、本発明は適用可能である。
【産業上の利用可能性】
【００２４】
本発明によれば、処理対象を搬送方向へ送るコンベアベルトに多数の透孔が形成され、該コンベアベルトの表面上に面ファスナーにより着脱可能に設けたワーク固定用吸引ベルトには、前記処理対象の形状及び寸法に対応した多数の吸引孔が形成される。そして、前記ワーク固定用吸引ベルトの縁部の継ぎ目部分を覆う押さえ手段を設けて、前記コンベアベルトに固定することとした。このため、ワーク固定用吸引ベルトの継ぎ目部分から面ファスナーが露出しないため、回転ブラシが面ファスナーに当たり、継ぎ目部分をめくって面ファスナーを剥がし、吸引ベルト自体が取れることを防止し、処理効率の向上を図ることができるため、表面処理装置用の搬送コンベアの用途に適用できる。
【符号の説明】
【００２５】
１０：表面処理装置
２０：搬送コンベア
２２，２４：ドラム
２６：コンベア用モータ
３０：コンベアベルト
３２：透孔
４０：吸引室
４２：吸引ダクト
４４：送風機
４６：排出ダクト
５０，６０，７０：ワーク固定用吸引ベルト
５２，６２，７２：吸引孔
５０Ａ，６０Ａ，６０Ｂ，７０Ａ，７０Ｂ：縁部
８０Ａ，８０Ｂ：面ファスナー
９０Ａ，９０Ｂ：回転ブラシ
９２：ローラ
９４：研磨布（ブラシ体）
１００：押さえ板
１０２：ネジ
１０４：接着剤
２００：表面処理装置
２１０：搬送コンベア
２１２：コンベアベルト
２１４：透孔
２２０，２２２，２２４：ワーク固定用吸引ベルト
２２１，２２３：吸引孔
２２０Ａ，２２２Ａ，２２２Ｂ，２２４Ｂ：縁部
２２６：隙間
２３０Ａ，２３０Ｂ：面ファスナー
２４０：吸引室
２４２：吸引ダクト
２４４：送風機
２４６：排出ダクト
２５０Ａ：２５０Ｂ：回転ブラシ
２５２：ローラ：
２５４：研磨布（ブラシ体）
Ｗ：ワーク
【図１】
2017226049.tif 000003
【図２】
2017226049.tif 000004
【図３】
2017226049.tif 000005